(57)【特許請求の範囲】
【請求項１】
回路基板のスルーホールに圧入された状態で前記スルーホールの内周の導電体層と電気的接続された状態になるホール嵌合部よりも前端側に、前記スルーホールの内周の前記導電体層の上に被覆された状態にあるプリフラックス層を削るフラックス削除突起が備えられたことを特徴とするプレスフィット端子において、
前記フラックス削除突起は、前記プレスフィット端子の長手方向に直交する直交方向に沿って互いに逆向きに外側に突出すると共に前記直交方向の全域に亘って連続している突起部と、前記突起部の前記直交方向の中央部から前記プレスフィット端子の中心軸線と同軸的に前端側に突出する中心軸部と、を備えることを特徴とするプレスフィット端子。
【請求項２】
前記フラックス削除突起は、前記ホール嵌合部の前記スルーホールへの圧入が完了した状態のとき、前記スルーホールを通過した状態で、前記回路基板の裏側に突出した状態にあることを特徴とする請求項１に記載のプレスフィット端子。
【請求項３】
前記突起部の前記中心軸部側の表面は、前記スルーホール内に挿入されたときに削り取った前記プリフラックス層を保持するフラックス保持面として機能することを特徴とする請求項１又は２に記載のプレスフィット端子。
【請求項４】
回路基板のスルーホールに圧入された状態で前記スルーホールの内周の導電体層と電気的接続された状態になるホール嵌合部よりも前端側に、前記スルーホールの内周の前記導電体層の上に被覆された状態にあるプリフラックス層を削るフラックス削除突起が備えられたことを特徴とするプレスフィット端子において、
前記フラックス削除突起は、表面にメッキ処理が施されていない状態であり、母材金属が露出した状態にあることを特徴とするプレスフィット端子。
【請求項５】
前記フラックス削除突起は、前記ホール嵌合部と同じ形状であることを特徴とする請求項４に記載のプレスフィット端子。
【発明の詳細な説明】
【技術分野】
【０００１】
本発明は、回路基板のスルーホールに圧入されて、接触圧によってスルーホールとの導通接続を果たすプレスフィット端子に関する。
【背景技術】
【０００２】
近年、回路基板のスルーホールに対して、半田付けが不要で簡単に電気的な接続を果たすプレスフィット端子が普及している。
【０００３】
プレスフィット端子は、プリント回路基板のスルーホールに圧入されるホール嵌合部が、径方向に圧縮された状態でスルーホールの内周面に接触し、接触圧でスルーホールと電気的接続状態になる端子である。
【０００４】
下記特許文献１には、回路基板に形成された複数のスルーホールに圧入した複数のプレスフィット端子同士を、回路基板に具備された回路パターンによってジョイント接続する技術が開示されている。
【０００５】
図６は特許文献１の技術で使用される従来の回路基板１００のスルーホール１１０の周辺の縦断面図、図７は図６に示したスルーホール１１０にプレスフィット端子２００のホール嵌合部２１０が圧入された状態を示す縦断面図である。
【０００６】
図６に示したスルーホール１１０は、多層構造の基板本体１０１に貫通形成された孔１０２の内周面を覆う筒状の導電体層１１１と、孔１０２の開口縁を覆うリング状の導電体層であるランド１１２と、を備えている。
【０００７】
スルーホール１１０に具備される導電体層１１１とランド１１２とは、隙間無く連続していて、互いに導通している。
【０００８】
また、スルーホール１１０のそれぞれの導電体層の酸化を防止するために、これらの導電体層の表面を覆うプリフラックス層（防錆皮膜）１１３が具備されている。
プリフラックス層１１３は、絶縁性の被膜である。
【０００９】
プレスフィット端子２００は、金属板をプレス成形することで形成される端子金具である。ホール嵌合部２１０は、最大外径がスルーホール１１０の筒状の導電体層１１１の内径よりも大きく設定されていて、スルーホール１１０に圧入された際に、縮径方向に弾性変形して、その接触圧によって、導電体層１１１との接触を果たす。プレスフィット端子２００は、プレス成形後に、スズ（Ｓｎ）や、ニッケル（Ｎｉ）などの金属がメッキされる。
【００１０】
従来は、スルーホール１１０に成膜されたプリフラックス層１１３を特に除去する作業は行わず、プリフラックス層１１３が残存しているスルーホール１１０にホール嵌合部２１０を圧入していた。そして、ホール嵌合部２１０の圧入時の擦れによって、プリフラックス層１１３を導電体層１１１から剥離させ、露出した導電体層１１１にホール嵌合部２１０が接触することで、ホール嵌合部２１０と導電体層１１１とを導通接続させている。
【先行技術文献】
【特許文献】
【００１１】
【特許文献１】特開２００６−２１６５０１号公報
【発明の概要】
【発明が解決しようとする課題】
【００１２】
ところが、ホール嵌合部２１０の圧入時の擦れによるプリフラックス層１１３の除去作用は、スルーホール１１０へのホール嵌合部２１０の圧入時の接触圧等に影響される。
【００１３】
図８は、ホール嵌合部２１０の接触圧と、接触したホール嵌合部２１０と導電体層１１１との間の接触抵抗の関係を示したものである。
【００１４】
図８において、横軸はホール嵌合部２１０の接触圧（荷重）を示し、縦軸は、接触抵抗を示している。図８において、特性線ｆ１は、スルーホール１１０の導電体層の上にプリフラックス層１１３が形成されておらず、ホール嵌合部２１０が直にスルーホール１１０の導電体層１１１に接触したときの荷重と接触抵抗との相関を示している。この特性線ｆ１は、接触圧（荷重）が低くても、接触抵抗が低く、良好な導通状態が得られることを示している。
【００１５】
また、図８において、特性線ｆ２は、スルーホール１１０の導電体層の上にプリフラックス層１１３が形成されている場合である。この特性線ｆ２は、接触圧（荷重）が低くなると、接触圧の低下に応じて急激に接触抵抗が増大し、導通不良を招くことを示している。即ち、プリフラックス層１１３が残っている状態でホール嵌合部２１０を圧入する場合は、接触圧が低いと、絶縁性を有するプリフラックス層１１３を十分に除去できず、残存するプリフラックス層１１３のために、導通不良が発生することを示している。
【００１６】
即ち、スルーホール１１０の導電体層上にプリフラックス層１１３が残っている状態で、ホール嵌合部２１０をスルーホール１１０に圧入する従来の場合では、接触圧を高くしないと、ホール嵌合部２１０の擦れによってプリフラックス層１１３を剥離除去する効力が低下し、残存するプリフラックス層１１３のために導通不良が発生するおそれがあった。
【００１７】
ところが、ホール嵌合部２１０の接触圧を高めると、ホール嵌合部２１０の表面のメッキが削れ落ちて、導通性能が低下したり、あるいは、接触荷重によってスルーホール１１０の周縁の回路基板１００の白化が生じたりするおそれがあった。回路基板１００の白化は、基板に作用する荷重や衝撃によって基板に割れが生じて、基板としての機能が損なわれる現象である。
【００１８】
また、ホール嵌合部２１０の接触圧でプリフラックス層１１３を削り落とす場合には、図５に示すように、プリフラックス層１１３の削れかす１１３ａがホール嵌合部２１０の前端部に貯まり、貯まったプリフラックス層１１３の削りかすが、再び、ホール嵌合部２１０に噛み込まれて、接触不良を招くおそれがあった。
【００１９】
そこで、本発明の目的は、上記課題を解消することに係り、プレスフィット端子のホール嵌合部とスルーホールの内周面との接触圧を高めずとも、ホール嵌合部と回路基板のスルーホール内周面との間に安定した導通接続を確保することができ、プレスフィット端子のメッキの削れ落ちや回路基板の白化等の不都合の発生を防止することのできるプレスフィット端子を提供することにある。
【課題を解決するための手段】
【００２０】
本発明の前述した目的は、下記の構成により達成される。
【００２１】
（１）  回路基板のスルーホールに圧入された状態で前記スルーホールの内周の導電体層と電気的接続された状態になるホール嵌合部よりも前端側に、前記スルーホールの内周の前記導電体層の上に被覆された状態にあるプリフラックス層を削るフラックス削除突起が備えられたことを特徴とするプレスフィット端子において、前記フラックス削除突起は、前記プレスフィット端子の長手方向に直交する直交方向に沿って互いに逆向きに外側に突出すると共に前記直交方向の全域に亘って連続している突起部と、前記突起部の前記直交方向の中央部から前記プレスフィット端子の中心軸線と同軸的に前端側に突出する中心軸部と、を備えることを特徴とするプレスフィット端子。
【００２２】
（２）  前記フラックス削除突起は、前記ホール嵌合部の前記スルーホールへの圧入が完了した状態のとき、前記スルーホールを通過した状態で、前記回路基板の裏側に突出した状態にあることを特徴とする上記（１）に記載のプレスフィット端子。
【００２３】
（３）  前記突起部の前記中心軸部側の表面は、前記スルーホール内に挿入されたときに削り取った前記プリフラックス層を保持するフラックス保持面として機能することを特徴とする請求項１又は２に記載のプレスフィット端子。
【００２４】
（４）  回路基板のスルーホールに圧入された状態で前記スルーホールの内周の導電体層と電気的接続された状態になるホール嵌合部よりも前端側に、前記スルーホールの内周の前記導電体層の上に被覆された状態にあるプリフラックス層を削るフラックス削除突起が備えられたことを特徴とするプレスフィット端子において、前記フラックス削除突起は、表面にメッキ処理が施されていない状態であり、母材金属が露出した状態にあることを特徴とするプレスフィット端子。
【００２５】
（５）  前記フラックス削除突起は、前記ホール嵌合部と同じ形状であることを特徴と
する上記（４）に記載のプレスフィット端子。
【００２６】
上記（１）の構成によれば、回路基板のスルーホールに圧入する際、ホール嵌合部よりも前端側に位置するフラックス削除突起がプリフラックス層に接触して、プリフラックス層を削り落とす。そのため、ホール嵌合部は、直にスルーホールの内周の導電体層と接触することができる。そのため、接触圧が低くても、接触抵抗が低く抑えられて、スルーホールと安定した導通接続を果たすことができる。
【００２７】
そして、ホール嵌合部の接触圧が低くてもスルーホールとの間に安定した導通接続を確保することができるため、ホール嵌合部のスルーホールへの嵌め合いを、接触圧が低くなるように軽い締まり嵌めに設定することができる。これによって、高い接触圧を設定していた場合に発生する、ホール嵌合部の表面のメッキ層の剥がれや、回路基板のスルーホール周縁部の白化などの不都合の発生を防止することができる。
【００２８】
また、ホール嵌合部が直にスルーホールの内周の導電体層と接触して、接触抵抗を低く抑えることができる。そのため、プリフラックス層がホール嵌合部とスルーホールの導電体層との接触を邪魔していた従来のプレスフィット端子と比較すると、端子寸法を変えずに、電流容量を増大させることができ、定格電流の大きなプレスフィット端子を得ることができる。
【００２９】
また、ホール嵌合部が、直にスルーホールの導電体層に接触し、金属同士の接触によって接触部に凝着が起こり、この凝着がホール嵌合部をスルーホールに固定する保持力として有効に働く。そのため、接触圧が低くても、ホール嵌合部とスルーホールとの機械的な結合強度が高くなり、振動等で電気的な接続状態が不安定になることを防止することができる。
【００３０】
上記（２）の構成によれば、ホール嵌合部をスルーホールに圧入した際に、フラックス削除突起により削り取られてフラックス削除突起に付着したプリフラックス層の削れかすは、ホール嵌合部のスルーホールへの圧入が完了したときには、フラックス削除突起と一緒に、スルーホールの外に排出される。そのため、プリフラックス層の削れかすが、スルーホール内に残存して、スルーホール内の電気的接続部に再付着するような不都合の発生を防止することができる。
【００３１】
上記（３）の構成によれば、ホール嵌合部をスルーホールに圧入した際に、フラックス削除突起が削り取ったプリフラックス層は、飛散せずにフラックス削除突起のフラックス保持面に保持される。従って、プリフラックス層の削れかすが、後続のホール嵌合部側に飛散してホール嵌合部とスルーホールの内周の導電体層との間に噛み込まれることを防止することができ、ホール嵌合部とスルーホールとの間の導通接続の信頼性を向上させることができる。
【００３２】
上記（４）の構成によれば、フラックス削除突起は、スズやニッケルなどの金属メッキを施さずに母材金属を露出させている。これにより、硬度の高い母材金属の特性が活かされ、プリフラックス層に対して高い切削性能を確保することができる。また、フラックス削除突起は、電気的接続には関与しないため、導電性を向上させる金属メッキを実施せずとも、ホール嵌合部とスルーホールとの間の導通性能に影響を及ぼさない。
【００３３】
上記（５）の構成によれば、フラックス削除突起は、ホール嵌合部と同じ形状であるので、ホール嵌合部と同じ状態でスルーホールの内面と接触する。したがって、ホール嵌合部に好適なように、プリフラックスを確実に除去することができる。
【発明の効果】
【００３４】
本発明によるプレスフィット端子によれば、プレスフィット端子のホール嵌合部とスルーホールの内周面との接触圧を高めずとも、ホール嵌合部と回路基板のスルーホール内周面との間に安定した導通接続を確保することができ、プレスフィット端子のメッキの削れ落ちや回路基板の白化等の不都合の発生を防止することができる。
【００３５】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００３６】
【図１】図１は、本発明に係るプレスフィット端子の第１実施形態と、該プレスフィット端子が圧入される回路基板のスルーホールの縦断面図である。
【図２】図２は、本発明の第１実施形態のプレスフィット端子が回路基板のスルーホールに嵌合途中の状態を示す縦断面図である。
【図３】図３は、本発明の第１実施形態のプレスフィット端子が回路基板のスルーホールに嵌合完了した状態の縦断面図である。
【図４】図４は、本発明の第２実施形態であるプレスフィット端子が圧入完了した状態の縦断面図である。
【図５】図５は、図４に示したプレスフィット端子の引抜長と引抜荷重との相関を示すグラフである。
【図６】図６は、従来の回路基板のスルーホールの構造を示す縦断面図である。
【図７】図７は、図６に示したスルーホールに従来のプレスフィット端子が圧入完了した状態の縦断面図である。
【図８】図８は、プレスフィット端子のスルーホールへの接触圧と接触抵抗との相関を示すグラフである。
【発明を実施するための形態】
【００３７】
以下、本発明に係るプレスフィット端子の好適な実施形態について、図面を参照して詳細に説明する。
【００３８】
図１〜図３は本発明に係るプレスフィット端子の第１実施形態を示したもので、図１は本発明に係るプレスフィット端子の第１実施形態と、該プレスフィット端子が圧入される回路基板のスルーホールの縦断面図、図２は本発明の第１実施形態のプレスフィット端子が回路基板のスルーホールに嵌合途中の状態を示す縦断面図、図３は本発明の第１実施形態のプレスフィット端子が回路基板のスルーホールに嵌合完了した状態の縦断面図である。
【００３９】
この第１実施形態のプレスフィット端子３は、金属板を打ち抜いて形成したプレス成形品で、図１〜図３に示すように、回路基板１００のスルーホール１１０に圧入されてスルーホール１１０の内周の導電体層１１１と電気的接続を果たすホール嵌合部３１と、このホール嵌合部３１よりも挿入方向の前端側に具備されたフラックス削除突起３２と、を備えている。
【００４０】
回路基板１００のスルーホール１１０は、多層構造の基板本体１０１に貫通形成された孔１０２の内周面を覆う筒状の導電体層１１１と、孔１０２の開口縁を覆うリング状の導電体層であるランド１１２と、を備えている。
【００４１】
スルーホール１１０に具備される導電体層１１１とランド１１２とは、隙間無く連続していて、互いに導通している。
【００４２】
また、スルーホール１１０のそれぞれの導電体層の酸化を防止するために、これらの導電体層の表面を覆うプリフラックス層（防錆皮膜）１１３が具備されている。
プリフラックス層１１３は、絶縁性の被膜である。
【００４３】
プレスフィット端子３のホール嵌合部３１は、最大幅がスルーホール１１０の筒状の導電体層１１１の内径よりも大きく設定された紡錘形状で、スルーホール１１０に圧入された際に、縮径方向に弾性変形して、その接触圧によって、導電体層１１１との接触を果たす。プレスフィット端子３は、プレス成形後に、フラックス削除突起３２を除く部位の表面に、スズ（Ｓｎ）や、ニッケル（Ｎｉ）などの金属がメッキされる。
【００４４】
プレスフィット端子３のフラックス削除突起３２は、幅（スルーホール１１の径方向に沿った長さ）がスルーホール１１０の筒状の導電体層１１１の内径よりも僅かに大きく形成されてスルーホール１１の径方向外方に張り出した突起部３２１と、この突起部３２１の中心部に具備された細径の中心軸部３２２と、を備えている。なお、突起部３２１は、環状（鍔状）に形成されていてもよい。
【００４５】
突起部３２１は、径方向外方に向かって凸の円弧状の曲面に形成されている。この突起部３２１は、ホール嵌合部３１をスルーホール１１０に圧入する際、ホール嵌合部３１よりも先にスルーホール１１０に進入する。突起部３２１は、スルーホール１１０の内周の導電体層１１１の上に被覆されているプリフラックス層１１３を擦ることで、該プリフラックス層１１３を削り取る突起部である。
【００４６】
突起部３２１は、スルーホール１１０に挿入された際、全周が導電体層１１１に被覆されているプリフラックス層１１３に接触し、スルーホール１１０内に押し込まれることで、導電体層１１１の全周のプリフラックス層１１３を削り取る。
【００４７】
突起部３２１の中心軸部３２２側の曲面は、当該突起部３２１が削り取ったプリフラックス層１１３を保持するフラックス保持面３２１ａとなっている。プレスフィット端子３をスルーホール１１内に挿入し易くするために、中心軸部３２２は小径化されている。
【００４８】
フラックス削除突起３２は、表面に導電性を向上させるスズ（Ｓｎ）やニッケル（Ｎｉ）などのメッキ処理を施さず、母材金属を露出させている。
【００４９】
また、フラックス削除突起３２は、図３に示したように、ホール嵌合部３１のスルーホール１１０への圧入が完了したとき、スルーホール１１０を通過して、回路基板１００の裏側に突出するように、配置が設定されている。
【００５０】
以上に説明した第１実施形態のプレスフィット端子３では、回路基板１００のスルーホール１１０に圧入する際、ホール嵌合部３１よりも挿入方向の前端側に位置するフラックス削除突起３２がプリフラックス層１１３に接触して、プリフラックス層１１３を削り落とす。そのため、ホール嵌合部３１は、直にスルーホール１１０の内周の導電体層１１１と接触することができる。そのため、接触圧が低くても、接触抵抗が低く抑えられて、スルーホール１１０と安定した導通接続を果たすことができる。
【００５１】
そして、ホール嵌合部３１の接触圧が低くてもスルーホール１１０との間に安定した導通接続を確保することができるため、ホール嵌合部３１のスルーホール１１０への嵌め合いを、接触圧が低くなるように軽い締まり嵌めに設定することができる。これによって、高い接触圧を設定していた場合に発生する、ホール嵌合部３１の表面のメッキ層の剥がれや、回路基板１００のスルーホール１１０周縁部の白化などの不都合の発生を防止することができる。
【００５２】
また、ホール嵌合部３１が直にスルーホール１１０の内周の導電体層１１１と接触して、接触抵抗を低く抑えることができる。そのため、プリフラックス層１１３がホール嵌合部３１とスルーホール１１０の導電体層１１１との接触を邪魔していた従来のプレスフィット端子と比較すると、端子寸法を変えずに、電流容量を増大させることができ、定格電流の大きなプレスフィット端子を得ることができる。
【００５３】
また、ホール嵌合部３１が、直にスルーホール１１０の導電体層１１１に接触し、金属同士の接触によって接触部に凝着が起こり、この凝着がホール嵌合部３１をスルーホール１１０に固定する保持力として有効に働く。そのため、接触圧が低くても、ホール嵌合部３１とスルーホール１１０との機械的な結合強度が高くなり、振動等で電気的な接続状態が不安定になることを防止することができる。
【００５４】
また、第１実施形態のプレスフィット端子３の構成によれば、ホール嵌合部３１をスルーホール１１０に圧入した際に、フラックス削除突起３２により削り取られてフラックス削除突起３２に付着したプリフラックス層１１３の削れかすは、ホール嵌合部３１のスルーホール１１０への圧入が完了したときには、フラックス削除突起３２と一緒に、スルーホール１１０の外に排出される。そのため、プリフラックス層１１３の削れかすが、スルーホール１１０内に残存して、スルーホール１１０内の電気的接続部に再付着するような不都合の発生を防止することができる。
【００５５】
また、第１実施形態のプレスフィット端子３の構成によれば、ホール嵌合部３１をスルーホール１１０に圧入した際に、フラックス削除突起３２が削り取ったプリフラックス層１１３は、飛散せずにフラックス削除突起３２のフラックス保持面３２１ａに保持される。従って、プリフラックス層１１３の削れかすが、後続のホール嵌合部３１側に飛散してホール嵌合部３１とスルーホール１１０の内周の導電体層１１１との間に噛み込まれることを防止することができ、ホール嵌合部３１とスルーホール１１０との間の導通接続の信頼性を向上させることができる。
【００５６】
また、第１実施形態のプレスフィット端子３の構成によれば、フラックス削除突起３２は、スズやニッケルなどの金属メッキを施さずに母材金属を露出させている。これにより、硬度の高い母材金属の特性が活かされ、プリフラックス層１１３に対して高い切削性能を確保することができる。また、フラックス削除突起３２は、電気的接続には関与しないため、導電性を向上させる金属メッキを実施せずとも、ホール嵌合部３１とスルーホール１１０との間の導通性能に影響を及ぼさない。
【００５７】
次に、本発明に係るプレスフィット端子の第２実施形態について説明する。
図４は、本発明に係るプレスフィット端子の第２実施形態と、該プレスフィット端子が圧入される回路基板のスルーホールの縦断面図である。
【００５８】
本実施形態のプレスフィット端子３Ａは、第１実施形態のフラックス削除突起３２に代えて、ホール嵌合部３１の先端に、ホール嵌合部３１と同じ形状のフラックス削除突起３２Ａを有する構成である。フラックス削除突起３２Ａにおいて、先端側の斜面がフラックス保持面３２１Ａとなっている。他の構成は、前述の第１実施形態と同じであるので、同じ構成については、説明を省略或いは簡略化する。
【００５９】
フラックス削除突起３２Ａは、ホール嵌合部３１と同様に、最大幅がスルーホール１１０の筒状の導電体層１１１の内径よりも大きく設定された紡錘形状で、スルーホール１１０に圧入された際に、縮径方向に弾性変形する。フラックス削除突起３２Ａは、スズ、ニッケル等のメッキが施されてもよいが、メッキが施されていないほうが母材金属が導電体層１１１に直接接触してフラックス除去機能が高くなるので好ましい。
【００６０】
本実施形態のプレスフィット端子３Ａによれば、前述の第１実施形態による効果に加えて、更に下記の効果がある。
【００６１】
フラックス削除突起３２Ａは、ホール嵌合部３１と同じ形状であるので、フラックス削除突起３２Ａは、ホール嵌合部３１がスルーホール１１０の導電体層１１１と接触する状態と同じ状態で、スルーホール１１０の導電体層１１１と接触する。例えば、フラックス削除突起３２Ａと導電体層１１１との接触荷重は、ホール嵌合部３１と導電体層１１１との接触荷重と同じになる。また、フラックス削除突起３２Ａは、ホール嵌合部３１と同じ部分で導電体層１１１と接する。したがって、ホール嵌合部３１が接する部分の導電体層１１１の内面は、ホール嵌合部３１に好適なように、プリフラックス層１１３が確実に除去され、ホール嵌合部３１と導電体層１１１との確実な接触が得られる。
【００６２】
また、フラックス削除突起３２Ａによってプリフラックス層１１３が確実に除去されることにより、ホール嵌合部３１と導電体層１１１との接触面積（凝着面積）を広くすることができ、接触信頼性が高く、かつ高い端子保持力を実現することができる。
【００６３】
また、フラックス削除突起３２Ａにメッキが施されていない場合は、フラックス除去率が高まるうえに、フラックス削除突起３２Ａがスルーホール１１０に挿入される際に、スルーホール１１０のエッジ部をわずかに変形させて滑らかにすることができる。これにより、メッキが施されているホール嵌合部３１がスルーホール１１０に圧入された際に、ホール嵌合部３１のメッキ層がスルーホール１１０のエッジ部に削られるのが低減される。
なお、図４において、スルーホール１１０の内面の導電体層１１１はフラックス層が除去された状態である。
【００６４】
図５は、上述の第２実施形態と従来のプレスフィット端子によるスルーホールからの引抜長と引抜荷重（保持力）との関係を表すグラフである。従来のプレスフィット端子の引抜荷重（保持力）は約１５Ｎであるのに対し、第２実施形態の銅製のプレスフィット端子３Ａでフラックス削除突起３２Ａにスズメッキが施されているものの引抜荷重（保持力）は約３０Ｎであり、端子保持力が約２倍に高まっているのが分かる。また、第２実施形態の銅製のプレスフィット端子３Ａでフラックス削除突起３２Ａにスズメッキが施されていないものの引抜荷重（保持力）は約３７Ｎであり、端子保持力が更に高まっているのが分かる。
【００６５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６６】
例えば、フラックス削除突起３２は、フラックス保持面３２１ａを凹んだ湾曲面状、又は外周側が挿入方向に突出する傾斜面状にすることで、プリフラックス層１１３に接触する部位を、エッジ状にして、切削性を向上させることも考えられる。
【００６７】
但し、フラックス削除突起３２をエッジ状にした場合には、エッジが導電体層１１１を傷付けないように、フラックス削除突起３２の径方向への突出長を正確に形成する必要が生じる。
【００６８】
ここで、上述した本発明に係るプレスフィット端子の実施形態の特徴をそれぞれ以下［１］〜［５］に簡潔に纏めて列記する。
【００６９】
［１］  回路基板（１００）のスルーホール（１１０）に圧入された状態で前記スルーホール（１１０）の内周の導電体層（１１１）と電気的接続された状態になるホール嵌合部（３１）よりも前端側に、前記スルーホール（１１０）の内周の前記導電体層（１１１）の上に被覆された状態にあるプリフラックス層（１１３）を削るフラックス削除突起（３２）が備えられたことを特徴とするプレスフィット端子（３）。
【００７０】
［２］  前記フラックス削除突起（３２）は、前記ホール嵌合部（３１）の前記スルーホール（１１０）への圧入が完了した状態のとき、前記スルーホール（１１０）を通過した状態で、前記回路基板（１００）の裏側に突出した状態にあることを特徴とする上記［１］に記載のプレスフィット端子（３）。
【００７１】
［３］  前記フラックス削除突起（３２）は、前記スルーホール（１１０）内に挿入された状態で、削り取った前記プリフラックス層（１１３）を保持した状態にあるフラックス保持面（３２１ａ）が備えられていることを特徴とする上記［１］又は［２］に記載のプレスフィット端子（３）。
【００７２】
［４］  前記フラックス削除突起（３２）は、表面にメッキ処理が施されていない状態であり、母材金属が露出した状態にあることを特徴とする上記［１］〜［３］の何れかに記載のプレスフィット端子（３）。
【００７３】
［５］  前記フラックス削除突起（３２Ａ）は、前記ホール嵌合部（３１）と同じ形状であることを特徴とする上記［１］〜［４］の何れかに記載のプレスフィット端子（３Ａ）。
【符号の説明】
【００７４】
３，３Ａ  プレスフィット端子
３１  ホール嵌合部
３２，３２Ａ  フラックス削除突起
１００  回路基板
１１０  スルーホール
１１１  導電体層
１１３  プリフラックス層
３２１ａ  フラックス保持面
【図１】
0006595871.tif 000002
【図２】
0006595871.tif 000003
【図３】
0006595871.tif 000004
【図４】
0006595871.tif 000005
【図５】
0006595871.tif 000006
【図６】
0006595871.tif 000007
【図７】
0006595871.tif 000008
【図８】
0006595871.tif 000009